(57)【要約】【課題】連続現像のゲイン効果を持つインバーターの提供。【解決手段】連続現像のゲイン効果を持つインバーターに関するものである。本考案は各タイプのインバーターに充分に応用でき、表示パネルの連続現像のゲイン効果を効果的にアップする制御構造を提供する。本考案は、インバーターの駆動モジュールが多セットの同じ周波数、同じ位相の駆動信号を同時に出力することで、複数の変圧モジュールを同時に駆動する。且つその駆動信号はその作業周期を高輝度周期及び低輝度周期から成ると定義する。並びにその駆動モジュールはタイミング制御手段を設置し、そのタイミング制御手段で、その変圧モジュールを駆動する駆動信号は、前端の表示パネルに対応する影像現像時間中の順序を高輝度周期とする。そして表示パネルの前の影像と後の影像との転換時間差を低輝度周期として順序付けることで、表示パネルの連続現像のゲイン効果をアップする。【選択図】図１
0003122838.tif 000002
【実用新案登録請求の範囲】
【請求項１】
連続現像のゲイン効果を持つインバーターであり、その特徴は下記のものを包括する事である、
駆動信号を出力する駆動モジュール一つ、その駆動信号を受信し、入力電力を転換して高圧出力電力として、後端に連接する放電ランプを駆動する複数個の変圧モジュール、
その中で、その駆動モジュールの駆動信号は、同じ周波数、同じ位相の信号とし、複数の変圧モジュールを同時に駆動する、且つその駆動信号はその作業周期を、高輝度周期及び低輝度周期から成ると定義する。並びにその駆動モジュールは、タイミング制御手段を設置し、そのタイミング制御手段で、その変圧モジュールを駆動する駆動信号は、前端の表示パネルに対応する影像現像時間中の順序を高輝度周期とし、表示パネルの前の影像と後の影像との転換時間差を低輝度周期として順序付けることを特徴とする連続現像のゲイン効果を持つインバーター。
【請求項２】
当該駆動モジュールが制御ユニットにより、駆動信号を出力し、また信号分配ユニットにより、変圧モジュール数量に対応して、同じ周波数の駆動信号を多セット出力する、さらに信号分配ユニットに連接するタイミング制御ユニットは、駆動信号に対し、順序付けを行うことであることを特徴とする請求項１に述べる、連続現像のゲイン効果を持つインバーター。
【請求項３】
当該駆動モジュール前端に輝度調整信号を入力する調光ユニットを有し、後端にはその駆動信号を受信し、電力を入力する駆動ユニットを設置することであることを特徴とする請求項２に述べる、連続現像のゲイン効果を持つインバーター。
【請求項４】
当該駆動モジュールが制御ユニットにより、多セットの同じ周波数、同じ位相の駆動信号を出力し、且つその制御ユニットがタイミング制御ユニットに連接し、駆動信号に対し、順序付けを行うことであることを特徴とする請求項１に述べる、連続現像のゲイン効果を持つインバーター。
【請求項５】
当該駆動モジュール前端に輝度調製信号を入力する調光ユニットを有し、後端にはその駆動信号を受信し、電力を入力する駆動ユニットを設置することであることを特徴とする請求項４に述べる、連続現像のゲイン効果を持つインバーター。
【請求項６】
当該高輝度周期及び低輝度周期におけるパルスの組合せ数量は、その転換時間差幅に対応して定まることを特徴とする請求項１に述べる、連続現像のゲイン効果を持つインバーター。
【考案の詳細な説明】
【技術分野】
【０００１】
本考案は、連続現像のゲイン効果を持つインバーターの一種に関するもので、特に制御変圧モジュールを用いる駆動モジュールで光源の照明状態を変え、このインバーターを表示パネル上に応用することで、その連続現像のゲイン効果をアップすることができる。
【背景技術】
【０００２】
インバーターの電力制御技術は、特許文献１を参照する事ができる。その案の技術中では周知のインバーター回路に従って、それぞれパルス幅変調制御ユニット（ＰＷＭ）、駆動ユニット、昇圧ユニットを持ち、各々の放電ランプ（ＣＣＦＬ或いはＥＥＦＬ）を駆動する。表示スクリーンサイズが日々大きくなり、必要な放電ランプの数量も日ごとに増加するのに対し、相対的に必要電力もアップしなければならない。そのため、放電ランプの数量に基づき等量のパルス幅変調制御ユニット（ＰＷＭ）、駆動ユニット、昇圧ユニットを配置すると、回路板の体積が大きくなり、線路布局や製作が難しいだけでなく、放電ランプが互いの流輝度及び電磁場の干渉を起こしやすくなる事から、輝度の均一化が達成できない。このために、上記の考案が提出する解決方法の主要技術の改良点は、単一のパルス幅変調制御ユニット（ＰＷＭ）を、後端の放電ランプ数量に必要な駆動電力と等量の駆動ユニット及び昇圧ユニットに基づき、同じ位相且つ同じ周波数の駆動信号を同時に出力し、これにより各駆動ユニット、昇圧ユニット及び放電ランプを同時に駆動して均一輝度という目的を達成する。
【０００３】
ＩＮＦＯＲＭＡＴＩＯＮ  ＤＩＳＰＬＡＹ  Ｏｃｔｏｂｅｒ  ２００５  Ｖｏｌ．２１，Ｎｏ．１０の第２８ページに掲載されているバックライト技術「Ｄｙｎａｍｉｃ−Ｓｃａｎｎｉｎｇ  Ｂａｃｋｌｉｇｈｔｉｎｇ  Ｍａｋｅｓ  ＬＣＤ  ＴＶ  Ｃｏｍｅ  Ａｌｉｖｅ」中に、現在の液晶ディスプレイの表示パネルは液晶セル（Ｃｅｌｌ）が異なる電界下で、画素（Ｐｉｘｅｌ）に転換する事による。しかし、前の画面と、後の画面の間に変換による時間差、いわゆる反応時間（ｒｉｓｅ−ｔｉｍｅ  ｏｒ  ｆａｌｌ−ｔｉｍｅ）が発生する。一般の液晶表示パネルの画面更新周波数は６０Ｈｚ、つまり毎秒６０回画面が変わる。前の画面に表示したイメージが変動しているかどうかに関わらず、いつもこの周波数で新たに表示されるため、各画面の持続時間は１／６０＝１６．６７ｍｓである。反応時間がこの値と大きく異なると、画面が連続的に変化する時にぼんやりした影像が見える。そのため、現在表示パネルの設計は反応時間を極力下げることで、表示パネルの画質をアップさせようとしているが、単純に反応時間を下げるだけでは足りない。なぜなら中間階調域（Ｇｒａｙ  ｔｏ  Ｇｒａｙ）のスピードは実質的に反応時間より大きく、そのため、中間階調域に光源を消すことができれば、反応時間がモノクロレベルだけで転換する助けとなり、さらに表示パネルの画質アップに有利となる。そのバックライト技術は、つまり影像現像時だけに光源を提供し、画素反応時間はバックライト電力を切り、光を発さない、光源スキャン技術を提供する。但しこの技術の中から、バックライトを提供するインバーターは各作業周期中、強制的に作業を止め電力出力を停止しなければならず、この動作によりインバーターは、容易に破損を起す。特に高共振周波数駆動を採用する圧電式インバーターは、そのデューティ・サイクル（ｄｕｔｙ  ｃｙｃｌｅ）単位をμsとし、閉鎖周期を制御するサイクル幅が短すぎると、圧電式インバーターの振動原理により、逆に瞬間エネルギーが起こる。また本当の閉鎖状態を達成することができない。閉鎖周期を制御するサイクル幅が長すぎると、圧電式インバーターは繰り返し振動し、ゼロ電位から高電位まで起動せねばならない。高振幅の振動を持続すると、圧電式インバーターは容易に断裂破損を起こす。そのため、その方式は巻き線式インバーターなら何とか応用可能であるが、圧電式インバーターの技術には効果的に応用できない。
【０００４】
【特許文献１】米国特許第６７９１２３９号明細書
【考案の開示】
【考案が解決しようとする課題】
【０００５】
本考案の主要目的は、上記の欠点を解決し、欠点の存在を避けることにあり、本考案では、各タイプのインバーターに充分に応用でき、表示パネルの連続現像のゲイン効果を効果的にアップする制御構造を提供する。本考案は、インバーターの駆動モジュールが多セットの同じ周波数、同じ位相の駆動信号を同時に出力することで、複数の変圧モジュールを同時に駆動する。且つその駆動信号はその作業周期を高輝度周期及び低輝度周期から成ると定義する。並びにその駆動モジュールはタイミング制御手段を設置し、そのタイミング制御手段で、その変圧モジュールを駆動する駆動信号は、前端の表示パネルに対応する影像現像時間中の順序を高輝度周期とする。そして表示パネルの前の影像と後の影像との転換時間差を低輝度周期として順序付けることで、表示パネルの連続現像のゲイン効果をアップする。
【課題を解決するための手段】
【０００６】
請求項１の考案は、連続現像のゲイン効果を持つインバーターであり、その特徴は下記のものを包括する事である、
駆動信号を出力する駆動モジュール一つ、その駆動信号を受信し、入力電力を転換して高圧出力電力として、後端に連接する放電ランプを駆動する複数個の変圧モジュール、
その中で、その駆動モジュールの駆動信号は、同じ周波数、同じ位相の信号とし、複数の変圧モジュールを同時に駆動する。且つその駆動信号はその作業周期を、高輝度周期及び低輝度周期から成ると定義する。並びにその駆動モジュールは、タイミング制御手段を設置し、そのタイミング制御手段で、その変圧モジュールを駆動する駆動信号は、前端の表示パネルに対応する影像現像時間中の順序を高輝度周期とし、表示パネルの前の影像と後の影像との転換時間差を低輝度周期として順序付けることを特徴とする連続現像のゲイン効果を持つインバーターとしている。
請求項２の考案は、当該駆動モジュールが制御ユニットにより、駆動信号を出力し、また信号分配ユニットにより、変圧モジュール数量に対応して、同じ周波数の駆動信号を多セット出力する。さらに信号分配ユニットに連接するタイミング制御ユニットは、駆動信号に対し、順序付けを行うことであることを特徴とする請求項１に述べる、連続現像のゲイン効果を持つインバーターとしている。
請求項３の考案は、当該駆動モジュール前端に輝度調整信号を入力する調光ユニットを有し、後端にはその駆動信号を受信し、電力を入力する駆動ユニットを設置することであることを特徴とする請求項２に述べる、連続現像のゲイン効果を持つインバーターとしている。
請求項４の考案は、当該駆動モジュールが制御ユニットにより、多セットの同じ周波数、同じ位相の駆動信号を出力し、且つその制御ユニットがタイミング制御ユニットに連接し、駆動信号）に対し、順序付けを行うことであることを特徴とする請求項１に述べる、連続現像のゲイン効果を持つインバーターとしている。
請求項５の考案は、当該駆動モジュール前端に輝度調製信号を入力する調光ユニットを有し、後端にはその駆動信号を受信し、電力を入力する駆動ユニットを設置することであることを特徴とする請求項４に述べる、連続現像のゲイン効果を持つインバーターとしている。
請求項６の考案は、当該高輝度周期及び低輝度周期におけるパルスの組合せ数量は、その転換時間差幅に対応して定まることを特徴とする請求項１に述べる、連続現像のゲイン効果を持つインバーターとしている。
【考案の効果】
【０００７】
本考案は連続現像のゲイン効果を持つインバーター、本考案は各タイプのインバーターに充分に応用でき、表示パネルの連続現像のゲイン効果を効果的にアップする制御構造を提供する。本考案は、インバーターの駆動モジュールが多セットの同じ周波数、同じ位相の駆動信号を同時に出力することで、複数の変圧モジュールを同時に駆動する。且つその駆動信号はその作業周期を高輝度周期及び低輝度周期から成ると定義する。並びにその駆動モジュールはタイミング制御手段を設置し、そのタイミング制御手段で、その変圧モジュールを駆動する駆動信号は、前端の表示パネルに対応する影像現像時間中の順序を高輝度周期とする。そして表示パネルの前の影像と後の影像との転換時間差を低輝度周期として順序付けることで、表示パネルの連続現像のゲイン効果をアップする。
【考案を実施するための最良の形態】
【０００８】
第１〜３図を参照のこと。本考案の連続現像のゲイン効果を持つインバーターの主要技術は、インバーターの駆動モジュールを制御することで、後端の放電ランプ３０ａ〜３０ｃの光源照明状態を変更する。このインバーターを表示パネル上に応用することで、その連続現像のゲイン効果をアップできる。そのインバーターは主に駆動信号Ｐ１、Ｐ２、Ｐ３を出力する駆動モジュール２０、及びその駆動信号Ｐ１、Ｐ２、Ｐ３を複数受信し、電力１０を転換して高圧出力電力として、後端の放電ランプ３０ａ〜３０ｃの変電モジュール２６ａ〜２６ｃを駆動する。その中で、その駆動モジュール２０の駆動信号Ｐ１、Ｐ２、Ｐ３は同じ周波数、同じ位相の信号とし、同時に複数の変圧モジュール２６ａ〜２６ｃを駆動する。その駆動モジュール２０は制御ユニット２２により、多セットの同じ周波数、同じ位相の駆動信号Ｓ１、Ｓ２、Ｓ３（技術は特許文献１を参照のこと）を出力する。或いは本考案の図に示すように、その駆動モジュール２０は、制御ユニット２２により、駆動信号Ｓ１、Ｓ２、Ｓ３を出力し、また信号分配ユニット２３により、変圧モジュール２６ａ〜２６ｃ数量に対応して、多セットの同じ周波数の駆動信号Ｓ１、Ｓ２、Ｓ３を出力する。そして駆動モジュール２０は前端に輝度調整信号を入力する調光ユニット２１を有し、後端にはその駆動信号Ｓ１、Ｓ２、Ｓ３を受信し、また電力１０を入力する駆動ユニット２５ａ〜２５ｃを設置する。前記の駆動信号Ｓ１、Ｓ２、Ｓ３はその作業周期を、高輝度周期Ｓ１１、Ｓ２１、Ｓ３１及び低輝度周期Ｓ１２、Ｓ２２、Ｓ３２から成ると定義する。並びにその駆動モジュール２０はタイミング制御手段を設置し、このタイミング制御手段は単一或いは複数のタイミング制御ユニット２４ａ〜２４ｃを組み合わせることで達成する。そのタイミング制御手段で、その変圧モジュール２６ａ〜２６ｃを駆動する駆動信号Ｐ１、Ｐ２、Ｐ３は、前端の表示パネルに対応する影像現像時間中の順序を高輝度周期Ｐ１１、Ｐ２１、Ｐ３１とする。そして表示パネルの前の影像と後の影像との転換時間差を低輝度周期Ｐ１２、Ｐ２２、Ｐ３２として順序付ける。
【０００９】
第２図の中で、信号分配ユニット２３を通して、対応する変圧モジュール２６ａ〜２６ｃ数量が駆動信号Ｓ１、Ｓ２、Ｓ３を出力するのを示す。各駆動信号Ｓ１、Ｓ２、Ｓ３は全て表示パネルの前の影像と後の影像の転換時間差に対応し、高輝度周期Ｓ１１、Ｓ２１、Ｓ３１及び低輝度周期Ｓ１２、Ｓ２２、Ｓ３２を定義する。且つその高輝度周期Ｓ１１、Ｓ２１、Ｓ３１、及び低輝度周期Ｓ１２、Ｓ２２、Ｓ３２のパルス組合せ数量は、対応するその転換時間差幅により定まる。表示パネルの画面更新周波数に配合するため、その駆動信号Ｓ１、Ｓ２、Ｓ３はタイミング制御ユニット２４ａ〜２４ｃにより、順序付け作業を行う必要がある。タイミング制御ユニット２４ａ〜２４ｃは画面のリフレッシュレートに対応し、順に遅延時間差を加えることができる。第３図に示すように、順序付け作業を経過した駆動信号Ｐ１、Ｐ２、Ｐ３は、その高輝度周期Ｐ１１、Ｐ２１、Ｐ３１及び低輝度周期Ｐ１２、Ｐ２２、Ｐ３２が、画面のリフレッシュレートと伴にスキャンされ、順に生成される。但し、注意することは、本考案が提供する高輝度周期Ｐ１１、Ｐ２１、Ｐ３１及び低輝度周期Ｐ１２、Ｐ２２、Ｐ３２は、全て操作信号である。そのためインバーターの変圧モジュール２６ａ〜２６ｃは作業を継続し中断しない。このため光源照明方式は、暗‐明‐暗の連続変化光源となる。つまり周知の光源照明方式がオフ‐オン‐オフの切替スイッチ光源であるのと全く異なる。且つ本考案の連続光源は周知の切替スイッチ光源と比べ、変圧モジュール２６ａ〜２６ｃが動作を継続するため、効果的に光源の輝度を制御することができる。このほか、高周波数型圧電式インバーター上に応用する際、起動を継続する振動振幅が大きすぎないため、その経済的寿命を効果的に維持できる。
【図面の簡単な説明】
【００１０】
【図１】本考案が実施する回路ブロック図である。
【図２】本考案の駆動信号の順序付け前の波形図である。
【図３】本考案の駆動信号の順序付け後の波形図である。
【符号の説明】
【００１１】
Ｐ１、Ｐ２、Ｐ３  駆動信号
Ｐ１１、Ｐ２１、Ｐ３１  高輝度周期
Ｐ１２、Ｐ２２、Ｐ３２  低輝度周期
Ｓ１、Ｓ２、Ｓ３  駆動信号
１０  電力
２０  駆動モジュール
２１  調光ユニット
２２  制御ユニット
２３  信号分配ユニット
２４ａ〜２４ｃ  タイミング制御ユニット
２５ａ〜２５ｃ  駆動ユニット
２６ａ〜２６ｃ  変圧モジュール
３０ａ〜３０ｃ  放電ランプ
【図１】
0003122838.tif 000003
【図２】
0003122838.tif 000004
【図３】
0003122838.tif 000005
【手続補正書】
【提出日】平成18年4月7日(2006.4.7)
【手続補正１】
【補正対象書類名】実用新案登録請求の範囲
【補正対象項目名】請求項１
【補正方法】変更
【補正の内容】
【請求項１】
連続現像のゲイン効果を持つインバーターであり、その特徴は下記のものを包括する事である、
駆動信号を出力する駆動モジュール一つ、その駆動信号を受信し、入力電力を転換して高圧出力電力として、後端に連接する放電ランプを駆動する複数個の変圧モジュール、
その中で、その駆動モジュールの駆動信号は、同じ周波数、同じ位相の信号とし、複数の変圧モジュールを同時に駆動する、且つその駆動信号はその作業周期を、高輝度周期及び低輝度周期から成ると定義する、並びにその駆動モジュールは、タイミング制御手段を設置し、そのタイミング制御手段で、その変圧モジュールを駆動する駆動信号は、前端の表示パネルに対応する影像現像時間中の順序を高輝度周期とし、表示パネルの前の影像と後の影像との転換時間差を低輝度周期として順序付けることを特徴とする連続現像のゲイン効果を持つインバーター。
【手続補正２】
【補正対象書類名】明細書
【補正対象項目名】０００６
【補正方法】変更
【補正の内容】
【０００６】
請求項１の考案は、連続現像のゲイン効果を持つインバーターであり、その特徴は下記のものを包括する事である、
駆動信号を出力する駆動モジュール一つ、その駆動信号を受信し、入力電力を転換して高圧出力電力として、後端に連接する放電ランプを駆動する複数個の変圧モジュール、
その中で、その駆動モジュールの駆動信号は、同じ周波数、同じ位相の信号とし、複数の変圧モジュールを同時に駆動する、且つその駆動信号はその作業周期を、高輝度周期及び低輝度周期から成ると定義する、並びにその駆動モジュールは、タイミング制御手段を設置し、そのタイミング制御手段で、その変圧モジュールを駆動する駆動信号は、前端の表示パネルに対応する影像現像時間中の順序を高輝度周期とし、表示パネルの前の影像と後の影像との転換時間差を低輝度周期として順序付けることを特徴とする連続現像のゲイン効果を持つインバーターとしている。
請求項２の考案は、当該駆動モジュールが制御ユニットにより、駆動信号を出力し、また信号分配ユニットにより、変圧モジュール数量に対応して、同じ周波数の駆動信号を多セット出力する、さらに信号分配ユニットに連接するタイミング制御ユニットは、駆動信号に対し、順序付けを行うことであることを特徴とする請求項１に述べる、連続現像のゲイン効果を持つインバーターとしている。
請求項３の考案は、当該駆動モジュール前端に輝度調整信号を入力する調光ユニットを有し、後端にはその駆動信号を受信し、電力を入力する駆動ユニットを設置することであることを特徴とする請求項２に述べる、連続現像のゲイン効果を持つインバーターとしている。
請求項４の考案は、当該駆動モジュールが制御ユニットにより、多セットの同じ周波数、同じ位相の駆動信号を出力し、且つその制御ユニットがタイミング制御ユニットに連接し、駆動信号に対し、順序付けを行うことであることを特徴とする請求項１に述べる、連続現像のゲイン効果を持つインバーターとしている。
請求項５の考案は、当該駆動モジュール前端に輝度調製信号を入力する調光ユニットを有し、後端にはその駆動信号を受信し、電力を入力する駆動ユニットを設置することであることを特徴とする請求項４に述べる、連続現像のゲイン効果を持つインバーターとしている。
請求項６の考案は、当該高輝度周期及び低輝度周期におけるパルスの組合せ数量は、その転換時間差幅に対応して定まることを特徴とする請求項１に述べる、連続現像のゲイン効果を持つインバーターとしている。